(57)【要約】【課題】画像形成中に異常が発生した場合に、容易且つ効率的に異常が発生したと認識されるシートと該シートの前後シートの画像と、該異常が発生したシートの前後における実際の画像形成結果とを対比して確認作業を行なうことができるようにする。【解決手段】異常検出部３０が、画像情報に基づいて画像形成媒体に画像を形成する画像形成部３４及び用紙搬送系３２による画像形成中に異常が発生したことを検出すると、制御部２２が、該異常が発生した画像形成が中断されるように画像形成部３４及び用紙搬送系３２を制御すると共に、異常が発生したと認識されるシートに形成された画像と該異常が発生したと認識されるシートの前後のシートに形成された画像とを含む確認用画像を形成するための確認用画像情報を生成し、該生成した確認用画像情報に基づいた画像が形成された後に前記中断した画像形成が再開されるように画像形成部３４及び用紙搬送系３２を制御する。【選択図】図１
2008254238.tif 000002
【特許請求の範囲】
【請求項１】
画像情報に基づいて画像形成媒体に画像を形成する画像形成手段の画像形成中に発生した異常を検出する検出手段と、
前記検出手段で異常の発生が検出された場合に、該異常が発生した画像形成が中断されるように前記画像形成手段を制御すると共に、異常が発生したと認識される画像形成媒体に形成された全部、若しくは一部の画像と該異常が発生したと認識される画像形成媒体の前後の画像形成媒体に形成された全部、若しくは一部の画像とを含む確認用画像を形成するための確認用画像情報を生成し、前記生成した確認用画像情報に基づいた画像が形成された後に前記中断した画像形成が再開されるように前記画像形成手段を制御する制御手段と、
を含む画像形成制御装置。
【請求項２】
前記制御手段は、前記異常が発生したと認識される画像形成媒体に形成された全部、若しくは一部の画像と前記異常が発生したと認識される画像形成媒体の前後の画像形成媒体に形成された全部、若しくは一部の画像とが縮小されて配置された確認用画像を形成するための確認用画像情報を生成する、
請求項１に記載の画像形成制御装置。
【請求項３】
前記制御手段は、前記異常が発生したと認識される画像形成媒体の画像中の部分画像と前記異常が発生したと認識される画像形成媒体の前後の画像形成媒体の画像の各々の部分画像とが配置された確認用画像を形成するための確認用画像情報を生成する、
請求項１に記載の画像形成制御装置。
【請求項４】
前記制御手段は、前記確認用画像が１枚の画像形成媒体に形成されるように前記確認用画像情報を生成する、
請求項１〜請求項３のいずれか１項記載の画像形成制御装置。
【請求項５】
前記制御手段は、前記検出手段で異常の発生が検出された場合に、更に、前記異常が発生したと認識される画像形成媒体に形成された画像情報及び前記異常が発生したと認識される画像形成媒体の前後の画像形成媒体に形成された画像情報を識別符号を付与して所定の記憶手段に記憶する、
請求項１〜請求項４のいずれか１項記載の画像形成制御装置。
【請求項６】
前記制御手段は、前記異常が発生したと認識される画像形成媒体に形成された全部、若しくは一部の画像、前記異常が発生したと認識される画像形成媒体の前後の画像形成媒体に形成された全部、若しくは一部の画像、及び前記付与した識別符号を示す画像を含む確認用画像が前記画像形成手段で形成されるように確認用画像情報を生成する、
請求項５に記載の画像形成制御装置。
【請求項７】
前記制御手段は、前記異常が発生したと認識される画像形成媒体に形成された画像情報及び前記異常が発生したと認識される画像形成媒体の前後の画像形成媒体に形成された画像情報に対して１つの識別符号を付与し、
前記識別符号を指定するための符号指定手段と、
前記符号指定手段で指定された識別符号が付与された画像情報を前記記憶手段から読み出して表示し、表示した画像情報から任意の画像情報を選択させるための選択手段と、
前記選択手段で選択された画像情報に基づいて画像が形成されるように前記画像形成手段を制御する画像再形成制御手段と、
を更に含む請求項６に記載の画像形成制御装置。
【請求項８】
前記制御手段は、前記異常が発生したと認識される画像形成媒体に形成された画像情報及び前記異常が発生したと認識される画像形成媒体の前後の画像形成媒体に形成された画像情報の各々に対して個別に識別符号を付与し、
前記識別符号を指定するための符号指定手段と、
前記符号指定手段で指定された識別符号が付与された画像情報を前記記憶手段から読み出し、該読み出した画像情報に基づいて画像が形成されるように前記画像形成手段を制御する画像再形成制御手段と、
を更に含む請求項６に記載の画像形成制御装置。
【請求項９】
前記制御手段は、前記異常が発生したと認識される画像形成媒体に形成された画像情報及び前記異常が発生したと認識される画像形成媒体の前後の画像形成媒体に形成された画像情報に対して１つの識別符号を付与し、
前記確認用画像が形成された記録媒体から前記識別符号を示す画像を読み取る読取手段と、
前記読取手段で読み取られた識別符号が付与された画像情報を前記記憶手段から読み出して表示し、表示した画像情報から任意の画像情報を選択させるための選択手段と、
前記選択手段で選択された画像情報に基づいて画像が形成されるように前記画像形成手段を制御する画像再形成制御手段と、
を更に含む請求項６に記載の画像形成制御装置。
【請求項１０】
前記制御手段は、前記異常が発生したと認識される画像形成媒体に形成された画像情報及び前記異常が発生したと認識される画像形成媒体の前後の画像形成媒体に形成された画像情報の各々に対して個別に識別符号を付与し、
前記確認用画像が形成された記録媒体から前記識別符号を示す画像を読み取る読取手段と、
前記読取手段で読み取られた識別符号から任意の識別符号を選択させるための選択手段と、
前記選択手段で選択された識別符号が付与された画像情報を前記記憶手段から読み出し、該読み出した画像情報に基づいて画像が形成されるように前記画像形成手段を制御する画像再形成制御手段と、
を更に含む請求項６に記載の画像形成制御装置。
【請求項１１】
前記確認用画像の形成対象の画像形成媒体に設けられた記憶手段に情報を書込む書込手段を更に備え、
前記制御手段は、前記確認用画像を形成する際に、前記記憶手段に前記異常が発生したと認識される画像形成媒体に形成された画像情報及び前記異常が発生したと認識される画像形成媒体の前後の画像形成媒体に形成された画像情報が書き込まれるように前記書込手段を制御する、
請求項１〜請求項４のいずれか１項記載の画像形成制御装置。
【請求項１２】
前記確認用画像が形成された画像形成媒体に設けられた記憶手段から前記異常が発生したと認識される画像形成媒体に形成された画像情報及び前記異常が発生したと認識される画像形成媒体の前後の画像形成媒体に形成された画像情報を読み出す読出手段と、
前記読み出された画像情報の画像を表示し、表示した画像から任意の画像を選択させるための画像選択手段と、
前記画像指定手段で指定された画像の画像情報に基づいて画像が形成されるように前記画像形成手段を制御する画像再形成制御手段と、
を更に含む請求項１１に記載の画像形成制御装置。
【請求項１３】
前記制御手段は、前記異常が発生したと認識される画像形成媒体が、前記中断した画像形成における一連の画像形成媒体の先頭の画像形成媒体である場合には、前記異常が発生したと認識される画像形成媒体に形成された全部、若しくは一部の画像と前記異常が発生したと認識される画像形成媒体の後の画像形成媒体に形成された全部、若しくは一部の画像とを含む確認用画像を形成するための確認用画像情報を生成し、前記前記異常が発生したと認識される画像形成媒体が、前記中断した画像形成における一連の画像形成媒体の最終の画像形成媒体である場合には、前記異常が発生したと認識される画像形成媒体に形成された全部、若しくは一部の画像と前記異常が発生したと認識される画像形成媒体の前の画像形成媒体に形成された全部、若しくは一部の画像とを含む確認用画像を形成するための確認用画像情報を生成する、
請求項１〜請求項１２のいずれか１項記載の画像形成制御装置。
【請求項１４】
前記制御手段は、予め定められた位置に何も画像が形成されない画像形成媒体を挿入するように画像を形成する場合であって、前記異常が発生したと認識される画像形成媒体及び前記異常が発生したと認識される画像形成媒体の前後の画像形成媒体のいずれかの画像形成媒体の位置が、前記何も画像が形成されない画像形成媒体の挿入位置に該当する場合には、前記確認用画像にその挿入位置を示す画像が含まれるように前記確認用画像情報を生成する、
請求項１〜請求項１３のいずれか１項記載の画像形成制御装置。
【請求項１５】
前記制御手段は、前記検出手段により、前記確認用画像の形成中に異常が発生したことが検出された場合には、該確認用画像についての確認用画像情報は生成せずに該確認用画像の画像形成が再度実行されるように前記画像形成手段を制御する、
請求項１〜請求項１４のいずれか１項記載の画像形成制御装置。
【請求項１６】
前記制御手段は、更に、画像が形成された画像形成媒体を収納部に収納する収納手段を、前記確認用画像が形成された画像形成媒体が前記収納部に収納されるときの収納位置が、前記中断した後に再開した画像形成により画像が形成された画像形成媒体が収納手段に収納されるときの収納位置から所定量だけずれるように制御する、
請求項１〜請求項１５のいずれか１項記載の画像形成制御装置。
【請求項１７】
前記制御手段は、更に、画像が形成された画像形成媒体を収納する収納部に収納された複数の画像形成媒体から前記確認用画像が形成された画像形成媒体を識別可能なように前記確認用画像が形成された画像形成媒体の周縁部に所定の画像が形成されるように前記画像形成手段を制御する、
請求項１〜請求項１５のいずれか１項記載の画像形成制御装置。
【請求項１８】
画像情報に基づいて画像形成媒体に画像を形成する画像形成手段と、
請求項１〜請求項１７のいずれか１項記載の画像形成制御装置と、
を含む画像形成システム。
【請求項１９】
コンピュータに、
画像情報に基づいて画像形成媒体に画像を形成する画像形成手段による画像形成中に発生した異常を検出する検出ステップと、
前記検出ステップで異常の発生が検出された場合に、該異常が発生した画像形成が中断されるように前記画像形成手段を制御する中断制御ステップと、
異常が発生したと認識される画像形成媒体に形成された全部、若しくは一部の画像と該異常が発生したと認識される画像形成媒体の前後の画像形成媒体に形成された全部、若しくは一部の画像とを含む確認用画像を形成するための確認用画像情報を生成し、前記生成した確認用画像情報に基づいた画像が形成された後に前記中断した画像形成が再開されるように前記画像形成手段を制御する画像形成制御ステップと、
を実行させるためのプログラム。
【発明の詳細な説明】
【技術分野】
【０００１】
本発明は、画像形成制御装置、画像形成システム、及びプログラムに関する。
【背景技術】
【０００２】
用紙やＯＨＰシート等の画像形成媒体に画像を形成する画像形成装置において、画像形成媒体の搬送不良等の異常が生じた場合、異常が発生した画像形成媒体に対して再印刷を行う必要がある。このとき、異常が発生したと認識される画像形成媒体のみならず、その前後の画像形成媒体にも異常のダメージが生じたり、汚れや、画像形成媒体の抜けなどの異常が発生している場合がある。そこで、再印刷すべき画像形成媒体が特定できるように、再印刷前に確認作業を簡便且つ効率的に行なうことができるような技術が要求されている。
【０００３】
なお、異常が発生した場合に再印刷を指示するシステムとして、印刷が終了したもしくは印刷中の印刷ページイメージを表示する表示手段を有し、印刷の際に異常が発生したときに、表示手段に印刷ページイメージを表示してユーザに再印刷開始ページを指定させ、印刷開始できる印刷処理システムが提案されている（例えば、特許文献１参照。）。
【０００４】
つまり、このような従来の技術は、正常に印刷が行われた画像形成媒体の次の画像形成媒体から正しく再印刷を行なうようにするものである。
【特許文献１】特開２００２−１３７４５８号公報
【発明の開示】
【発明が解決しようとする課題】
【０００５】
本発明は、画像形成中に異常が発生し画像形成が中断された後に、異常が発生したと認識される画像形成媒体の再印刷を行った際、異常が発生したと認識される画像形成媒体の前後の画像形成媒体が、正常に印刷が行われているか否かを容易に確認することができる画像形成制御装置、画像形成システム、及びプログラムを提供することを目的とする。
【課題を解決するための手段】
【０００６】
請求項１の発明は、画像情報に基づいて画像形成媒体に画像を形成する画像形成手段の画像形成中に発生した異常を検出する検出手段と、前記検出手段で異常の発生が検出された場合に、該異常が発生した画像形成が中断されるように前記画像形成手段を制御すると共に、異常が発生したと認識される画像形成媒体に形成された全部、若しくは一部の画像と該異常が発生したと認識される画像形成媒体の前後の画像形成媒体に形成された全部、若しくは一部の画像とを含む確認用画像を形成するための確認用画像情報を生成し、前記生成した確認用画像情報に基づいた画像が形成された後に前記中断した画像形成が再開されるように前記画像形成手段を制御する制御手段と、を含む画像形成制御装置である。
【０００７】
請求項２の発明は、請求項１に記載の画像形成制御装置において、前記制御手段は、前記異常が発生したと認識される画像形成媒体に形成された全部、若しくは一部の画像と前記異常が発生したと認識される画像形成媒体の前後の画像形成媒体に形成された全部、若しくは一部の画像とが縮小されて配置された確認用画像を形成するための確認用画像情報を生成する。
【０００８】
請求項３の発明は、請求項１に記載の画像形成制御装置において、前記制御手段は、前記異常が発生したと認識される画像形成媒体の画像中の部分画像と前記異常が発生したと認識される画像形成媒体の前後の画像形成媒体の画像の各々の部分画像とが配置された確認用画像を形成するための確認用画像情報を生成する。
【０００９】
請求項４の発明は、請求項１〜請求項３のいずれか１項記載の画像形成制御装置において、前記制御手段は、前記確認用画像が１枚の画像形成媒体に形成されるように前記確認用画像情報を生成する。
【００１０】
請求項５の発明は、請求項１〜請求項４のいずれか１項記載の画像形成制御装置において、前記制御手段は、前記検出手段で異常の発生が検出された場合に、更に、前記異常が発生したと認識される画像形成媒体に形成された画像情報及び前記異常が発生したと認識される画像形成媒体の前後の画像形成媒体に形成された画像情報を識別符号を付与して所定の記憶手段に記憶する。
【００１１】
請求項６の発明は、請求項５に記載の画像形成制御装置において、前記制御手段は、前記異常が発生したと認識される画像形成媒体に形成された全部、若しくは一部の画像、前記異常が発生したと認識される画像形成媒体の前後の画像形成媒体に形成された全部、若しくは一部の画像、及び前記付与した識別符号を示す画像を含む確認用画像が前記画像形成手段で形成されるように確認用画像情報を生成する。
【００１２】
請求項７の発明は、請求項６に記載の画像形成制御装置において、前記制御手段は、前記異常が発生したと認識される画像形成媒体に形成された画像情報及び前記異常が発生したと認識される画像形成媒体の前後の画像形成媒体に形成された画像情報に対して１つの識別符号を付与し、前記識別符号を指定するための符号指定手段と、前記符号指定手段で指定された識別符号が付与された画像情報を前記記憶手段から読み出して表示し、表示した画像情報から任意の画像情報を選択させるための選択手段と、前記選択手段で選択された画像情報に基づいて画像が形成されるように前記画像形成手段を制御する画像再形成制御手段と、を更に含む。
【００１３】
請求項８の発明は、請求項６に記載の画像形成制御装置において、前記制御手段は、前記異常が発生したと認識される画像形成媒体に形成された画像情報及び前記異常が発生したと認識される画像形成媒体の前後の画像形成媒体に形成された画像情報の各々に対して個別に識別符号を付与し、前記識別符号を指定するための符号指定手段と、前記符号指定手段で指定された識別符号が付与された画像情報を前記記憶手段から読み出し、該読み出した画像情報に基づいて画像が形成されるように前記画像形成手段を制御する画像再形成制御手段と、を更に含む。
【００１４】
請求項９の発明は、請求項６に記載の画像形成制御装置において、前記制御手段は、前記異常が発生したと認識される画像形成媒体に形成された画像情報及び前記異常が発生したと認識される画像形成媒体の前後の画像形成媒体に形成された画像情報に対して１つの識別符号を付与し、前記確認用画像が形成された記録媒体から前記識別符号を示す画像を読み取る読取手段と、前記読取手段で読み取られた識別符号が付与された画像情報を前記記憶手段から読み出して表示し、表示した画像情報から任意の画像情報を選択させるための選択手段と、前記選択手段で選択された画像情報に基づいて画像が形成されるように前記画像形成手段を制御する画像再形成制御手段と、を更に含む。
【００１５】
請求項１０の発明は、請求項６に記載の画像形成制御装置において、前記制御手段は、前記異常が発生したと認識される画像形成媒体に形成された画像情報及び前記異常が発生したと認識される画像形成媒体の前後の画像形成媒体に形成された画像情報の各々に対して個別に識別符号を付与し、前記確認用画像が形成された記録媒体から前記識別符号を示す画像を読み取る読取手段と、前記読取手段で読み取られた識別符号から任意の識別符号を選択させるための選択手段と、前記選択手段で選択された識別符号が付与された画像情報を前記記憶手段から読み出し、該読み出した画像情報に基づいて画像が形成されるように前記画像形成手段を制御する画像再形成制御手段と、を更に含む。
【００１６】
請求項１１の発明は、請求項１〜請求項４のいずれか１項記載の画像形成制御装置において、前記確認用画像の形成対象の画像形成媒体に設けられた記憶手段に情報を書込む書込手段を更に備え、前記制御手段は、前記確認用画像を形成する際に、前記記憶手段に前記異常が発生したと認識される画像形成媒体に形成された画像情報及び前記異常が発生したと認識される画像形成媒体の前後の画像形成媒体に形成された画像情報が書き込まれるように前記書込手段を制御する。
【００１７】
請求項１２の発明は、請求項１１に記載の画像形成制御装置において、前記確認用画像が形成された画像形成媒体に設けられた記憶手段から前記異常が発生したと認識される画像形成媒体に形成された画像情報及び前記異常が発生したと認識される画像形成媒体の前後の画像形成媒体に形成された画像情報を読み出す読出手段と、前記読み出された画像情報の画像を表示し、表示した画像から任意の画像を選択させるための画像選択手段と、前記画像指定手段で指定された画像の画像情報に基づいて画像が形成されるように前記画像形成手段を制御する画像再形成制御手段と、を更に含む。
【００１８】
請求項１３の発明は、請求項１〜請求項１２のいずれか１項記載の画像形成制御装置において、前記制御手段は、前記異常が発生したと認識される画像形成媒体が、前記中断した画像形成における一連の画像形成媒体の先頭の画像形成媒体である場合には、前記異常が発生したと認識される画像形成媒体に形成された全部、若しくは一部の画像と前記異常が発生したと認識される画像形成媒体の後の画像形成媒体に形成された全部、若しくは一部の画像とを含む確認用画像を形成するための確認用画像情報を生成し、前記前記異常が発生したと認識される画像形成媒体が、前記中断した画像形成における一連の画像形成媒体の最終の画像形成媒体である場合には、前記異常が発生したと認識される画像形成媒体に形成された全部、若しくは一部の画像と前記異常が発生したと認識される画像形成媒体の前の画像形成媒体に形成された全部、若しくは一部の画像とを含む確認用画像を形成するための確認用画像情報を生成する。
【００１９】
請求項１４の発明は、請求項１〜請求項１３のいずれか１項記載の画像形成制御装置において、前記制御手段は、予め定められた位置に何も画像が形成されない画像形成媒体を挿入するように画像を形成する場合であって、前記異常が発生したと認識される画像形成媒体及び前記異常が発生したと認識される画像形成媒体の前後の画像形成媒体のいずれかの画像形成媒体の位置が、前記何も画像が形成されない画像形成媒体の挿入位置に該当する場合には、前記確認用画像にその挿入位置を示す画像が含まれるように前記確認用画像情報を生成する。
【００２０】
請求項１５の発明は、請求項１〜請求項１４のいずれか１項記載の画像形成制御装置において、前記制御手段は、前記検出手段により、前記確認用画像の形成中に異常が発生したことが検出された場合には、該確認用画像についての確認用画像情報は生成せずに該確認用画像の画像形成が再度実行されるように前記画像形成手段を制御する。
【００２１】
請求項１６の発明は、請求項１〜請求項１５のいずれか１項記載の画像形成制御装置において、前記制御手段は、更に、画像が形成された画像形成媒体を収納部に収納する収納手段を、前記確認用画像が形成された画像形成媒体が前記収納部に収納されるときの収納位置が、前記中断した後に再開した画像形成により画像が形成された画像形成媒体が収納手段に収納されるときの収納位置から所定量だけずれるように制御する。
【００２２】
請求項１７の発明は、請求項１〜請求項１５のいずれか１項記載の画像形成制御装置において、前記制御手段は、更に、画像が形成された画像形成媒体を収納する収納部に収納された複数の画像形成媒体から前記確認用画像が形成された画像形成媒体を識別可能なように前記確認用画像が形成された画像形成媒体の周縁部に所定の画像が形成されるように前記画像形成手段を制御する。
【００２３】
請求項１８の発明は、画像情報に基づいて画像形成媒体に画像を形成する画像形成手段と、請求項１〜請求項１７のいずれか１項記載の画像形成制御装置と、を含む画像形成システムである。
【００２４】
請求項１９の発明は、コンピュータに、画像情報に基づいて画像形成媒体に画像を形成する画像形成手段による画像形成中に発生した異常を検出する検出ステップと、前記検出ステップで異常の発生が検出された場合に、該異常が発生した画像形成が中断されるように前記画像形成手段を制御する中断制御ステップと、異常が発生したと認識される画像形成媒体に形成された全部、若しくは一部の画像と該異常が発生したと認識される画像形成媒体の前後の画像形成媒体に形成された全部、若しくは一部の画像とを含む確認用画像を形成するための確認用画像情報を生成し、前記生成した確認用画像情報に基づいた画像が形成された後に前記中断した画像形成が再開されるように前記画像形成手段を制御する画像形成制御ステップと、を実行させるためのプログラムである。
【発明の効果】
【００２５】
請求項１に記載の発明によれば、画像形成中に異常が発生し画像形成が中断された後に、異常が発生したと認識される画像形成媒体の再印刷を行った際、異常が発生したと認識される画像形成媒体の前後の画像形成媒体が、正常に印刷が行われているか否かを容易に確認することができる、という効果が得られる。
【００２６】
請求項２に記載の発明によれば、異常が発生したと認識される画像形成媒体及びその前後の画像形成媒体に形成された全部、若しくは一部の画像が視認しやすく確認が容易となる、という効果が得られる。
【００２７】
請求項３に記載の発明によれば、異常が発生したと認識される画像形成媒体及びその前後の画像形成媒体に形成された画像が視認しやすく確認が容易となる、という効果が得られる。
【００２８】
請求項４に記載の発明によれば、確認用画像が形成された１枚の画像形成媒体を取り除くことの管理が容易となる、という効果が得られる。
【００２９】
請求項５に記載の発明によれば、異常が発生したと認識される画像形成媒体及びその前後の画像形成媒体以外の画像形成媒体に形成された画像情報を保存しておく必要がなくなり、異常発生による画像の再形成のために必要な記憶容量が少なくて済む、という効果が得られる。
【００３０】
請求項６に記載の発明によれば、画像に付与された識別符号を容易に認識でき、記憶手段から画像情報を読み出す場合もその読み出しが容易となる、という効果が得られる。
【００３１】
請求項７に記載の発明によれば、再形成したい画像の識別符号を容易に指定して画像を再形成することができる、という効果が得られる。
【００３２】
請求項８に記載の発明によれば、再形成したい画像の識別符号を容易に指定して画像を再形成することができる、という効果が得られる。
【００３３】
請求項９に記載の発明によれば、画像を再形成するときに識別符号の入力の手間が省ける、という効果が得られる。
【００３４】
請求項１０に記載の発明によれば、画像を再形成するときに識別符号の指定が容易となる、という効果が得られる。
【００３５】
請求項１１に記載の発明によれば、異常発生による画像の再形成に備えて装置側で画像情報を保持しておく必要がなくなる、という効果が得られる。
【００３６】
請求項１２に記載の発明によれば、容易に画像形成媒体の記憶手段から画像情報を読み出して画像を再形成することができる、という効果が得られる。
【００３７】
請求項１３に記載の発明によれば、異常発生箇所に応じて適切に確認用画像を形成することができる、という効果が得られる。
【００３８】
請求項１４に記載の発明によれば、何も画像が形成されない画像形成媒体を挿入する場合に、この挿入を行ったときの何も画像が形成されない画像形成媒体と、異常が発生したと認識される画像形成媒体やその前後に発生する可能性がある何も画像が形成されない画像形成媒体との混同を防ぐことができる、という効果が得られる。
【００３９】
請求項１５に記載の発明によれば、確認用画像についての確認用画像が形成されず、画像形成媒体の無駄が生じない、という効果が得られる。
【００４０】
請求項１６に記載の発明によれば、収納部に複数の画像形成媒体が収納されていても、その中から確認用画像を形成した画像形成媒体を容易に判別できる、という効果が得られる。
【００４１】
請求項１７に記載の発明によれば、収納部に複数の画像形成媒体が収納されていても、その中から確認用画像を形成した画像形成媒体を容易に判別できる、という効果が得られる。
【００４２】
請求項１８に記載の発明によれば、画像形成中に異常が発生し画像形成が中断された後に、異常が発生したと認識される画像形成媒体の再印刷を行った際、異常が発生したと認識される画像形成媒体の前後の画像形成媒体が、正常に印刷が行われているか否かを容易に確認することができる、という効果が得られる。
【００４３】
請求項１９に記載の発明によれば、画像形成中に異常が発生し画像形成が中断された後に、異常が発生したと認識される画像形成媒体の再印刷を行った際、異常が発生したと認識される画像形成媒体の前後の画像形成媒体が、正常に印刷が行われているか否かを容易に確認することができる、という効果が得られる。
【発明を実施するための最良の形態】
【００４４】
以下、図面を参照して本発明の実施の形態を詳細に説明する。
【００４５】
［第１の実施形態］
図１は、本実施の形態に係る画像形成システム１０の概略構成を示すブロック図である。
【００４６】
画像形成システム１０は、メインコントローラ１２と、プリントエンジン部１４を備えている。
【００４７】
メインコントローラ１２は、プリントエンジン部１４の画像形成動作を制御する。メインコントローラ１２は、データ受信部２０、制御部２２、画像データ記憶部２４、及びユーザインタフェース（ＵＩ）２６を備えている。
【００４８】
データ受信部２０は、外部のコンピュータ等から印刷データを受信し、受信した印刷データを制御部２２に送出する。ここで、印刷データは、印刷すべき原稿の画像がページ記述言語で記述されたデータである。
【００４９】
制御部２２は、ＣＰＵ、ＲＯＭ、及びＲＡＭを備えている。ＲＯＭには、ページ記述言語で記述された印刷データをラスタ処理してビットマップの画像データに変換するためのプログラムやプリントエンジン部１４の画像形成動作を制御するためのプログラムを含む各種プログラム及び必要なデータが記憶されている。ＣＰＵは、ＲＯＭに記憶されたプログラムを実行する。ＲＡＭは、その一部の領域がワークメモリとして使用される。また、ＲＡＭの所定の領域は、印刷データを一時的に記憶しておくためのバッファとして使用される。
【００５０】
なお、ＣＰＵが実行するプログラムを記録する記録媒体は、上記ＲＯＭに限定されず、ＣＤ−ＲＯＭやＤＶＤディスク、光磁気ディスクやＩＣカード、あるいはハードディスク等であってもよいし、電気通信回線上の搬送波のような伝送媒体であってもよく、特に限定されない。従って、後述する本発明の実施の形態に係るプログラム等を通信媒体により提供することはもちろん、ＣＤ−ＲＯＭ等の記録媒体に格納して提供することも可能である。
【００５１】
画像データ記憶部２４は、制御部２２で変換されたビットマップの画像データを記憶する。
【００５２】
ＵＩ２６は、例えばディスプレイ上にタッチパネルが重ねられたタッチパネルディスプレイ等から構成され、各種情報を表示したり、ユーザが操作することにより所望の情報や指示を入力することができる。
【００５３】
プリントエンジン部１４は、異常検出部３０、用紙搬送系３２、画像形成部３４、及び画像形成制御部３６を備えている。
【００５４】
画像形成制御部３６は、図２に示すように、メインコントローラ１２の制御部２２から受信した画像データ及び印刷制御信号に従ってプリントエンジン部１４の画像形成動作（印刷動作）を制御する。また画像形成制御部３６は、画像形成終了通知や画像形成中に異常が発生した場合の異常発生通知等を制御部２２に送信したりする。
【００５５】
用紙搬送系３２は、画像形成制御部３６の制御に従い、画像形成動作中に画像形成媒体としての用紙を搬送する。なお、ここでは、画像を形成する対象である画像形成媒体として一般的な用紙を例に挙げて説明するが、画像形成媒体は特に限定されず、例えばＯＨＰシートであってもよい。
【００５６】
画像形成部３４は、画像形成制御部３６の制御に従い、用紙搬送系３２によって搬送された用紙に画像を形成する。なお、画像形成部３４は、帯電装置、感光体、露光装置、現像装置、及び転写装置を備えた電子写真方式の画像形成部で構成される。尚、用紙にインクを吐出して画像を形成するインクジェット方式の画像形成部であってもよく、特に限定されない。
【００５７】
画像形成部３４で画像が形成された用紙は、用紙搬送系３２によって収納部３８（図２参照）まで用紙が搬送されて収納される。また、画像が形成された用紙を不図示の収納機構によって収納部３８の収納位置をずらして収納することもできる。収納機構は、画像形成制御部３６からの制御に従って動作する。
【００５８】
異常検出部３０は、用紙搬送系３２の用紙搬送経路に沿って複数箇所に設けられたセンサを含んで構成されている。異常検出部３０の各センサの検出結果は、画像形成制御部３６を介して制御部２２に送信される。これにより制御部２２は、用紙搬送経路のどの部分に用紙が到達したか、また紙詰まりや搬送不良等の異常が発生した場合にどの部分で該異常が発生したか等を判断することができる。
【００５９】
次に、本実施の形態の画像形成システム１０の動作について説明する。
【００６０】
図３は、制御部２２が行なう画像形成制御処理の流れを示すフローチャートである。
【００６１】
ステップ１００では、制御部２２は、データ受信部２０から印刷データを受信したか否かを判断する。ここで印刷データを受信したと判断した場合には、制御部２２は、ステップ１０２で、受信した印刷データをラスタ処理してピットマップの画像データを作成する。
【００６２】
ステップ１０４では、制御部２２は、作成した画像データを、画像データ記憶部２４に一時的に記憶する。なお、画像データを作成する元となった印刷データは、制御部２２のＲＡＭに確保されているバッファに記憶しておく。バッファに記憶された印刷データは、当該印刷データにより印刷される全頁について画像形成終了通知をプリントエンジン部１４の画像形成制御部３６から受け取った後に削除される。
【００６３】
ステップ１０６では、制御部２２は、印刷を行なわせるための印刷制御信号を生成して画像形成制御部３６に送信すると共に、印刷する画像データを画像データ記憶部２４から読み出して画像形成制御部３６に送信して、画像形成（印刷）を行なわせる。
【００６４】
なお、本実施の形態では、制御部２２は、複数頁からなる一連の印刷物を印刷する際、プリントエンジン部１４の画像形成開始前に予め全頁分の画像データを生成しておくのではなく、プリントエンジン部１４の画像形成実行中に、順次ラスタ処理して１頁ずつ画像データを生成し、画像形成制御部３６に送信することにより、複数頁の印刷物を高速で印刷する。この画像形成システム１０では、画像データが正常にラスタ処理されたか否か、すなわち送信済の画像データに異常があるか否かの判断（プルーフ）は、画像形成制御部３６に対して画像データを送信した後に行なわれる。なお、このプルーフは、制御部２２が行なっても良いし、画像形成制御部３６が行なうようにしてもよい。
【００６５】
ステップ１０８では、制御部２２は、プリントエンジン部１４における画像形成中に異常が発生したか否かを判断する。
【００６６】
前述したように、プリントエンジン部１４には異常検出部３０が設けられ、異常検出部３０の各センサの検出結果が、画像形成制御部３６を介して制御部２２に送信される。制御部２２は、この検出結果から、紙詰まりや搬送不良等の異常が発生したことを検出する。
【００６７】
また、画像形成中に発生する異常は、紙詰まりや搬送不良等に限定されない。前述したように、プルーフで異常が検出されることもある。画像形成中にプルーフで異常が検出された場合、該異常が検出された画像データを印刷した用紙は、上記収納部３８とは別の、正常に印刷されなかった用紙を収納するためのパージ用収納部に搬送され収納される。
【００６８】
制御部２２は、ステップ１０８で、異常が発生したと判断した場合には、ステップ１１０に移行し、プリントエンジン部１４に対して印刷を中断するための印刷制御信号を送信して、印刷を中断させる。
【００６９】
なお、フローチャートでの図示は省略するが、制御部２２は、発生した異常が紙詰まりや搬送不良等である場合には、用紙搬送経路に残存している異常が発生した用紙を利用者に取り除かせるためのメッセージをＵＩ２６に表示する。これにより、プリントエンジン部１４がエラー状態から復帰する。制御部２２は、プリントエンジン部１４がエラー状態から復帰した後に、ステップ１１２の異常発生時処理を行なう。また、発生した異常がプルーフで検出された画像データ生成時のエラーである場合には、そのままステップ１１２の異常発生時処理に移行する。なお、異常発生時処理については、後述する。
【００７０】
異常発生時処理の終了後或いはステップ１０８で異常は発生していないと判断した場合には、制御部２２は、ステップ１１４に移行し、データ受信部２０で受信した印刷データによる印刷が全て終了したか否かを判断する。ここで、印刷が全て終了していないと判断した場合には、ステップ１１６で印刷を続行するようにプリントエンジン部１４を制御して、ステップ１０２に戻る。また、ステップ１１４で、印刷が全て終了したと判断した場合には、この画像形成制御処理を終了する。
【００７１】
次に、上記ステップ１１２で行なわれる異常発生時処理について説明する。
【００７２】
図４は、制御部２２が行なう異常発生時処理の流れを示すフローチャートである。
【００７３】
ステップ２００では、制御部２２は、どのシートで異常が発生したか（異常発生位置）を判断する。例えば、検出された異常が、紙詰まりや搬送不良等の異常である場合には、制御部２２は、異常検出部３０から受信した検出結果から、搬送経路上で紙詰まりや搬送不良等の異常が発生した位置を特定し、該特定した位置に基づいて異常発生位置を判断する。また、プルーフで画像データの異常が検出された場合には、該異常が検出された画像データはすぐに特定できるため、これにより異常発生位置を判断する。
【００７４】
ステップ２０２では、制御部２２は、画像データを画像データ記憶部２４から読み出す画像データ読出処理を実行する。
【００７５】
図５は、画像データ読出処理の流れを示すフローチャートである。
【００７６】
ステップ２２０では、制御部２２は、異常発生位置は一連の印刷物の先頭ページであるか否かを判断する。ステップ２２０で肯定判定した場合には、ステップ２２２で、制御部２２は、異常発生位置及びその後ろの位置の画像データを画像データ記憶部から読み出す。
【００７７】
ステップ２２０で否定判定した場合には、ステップ２２４で、制御部２２は、異常発生位置は一連の印刷物の最終ページであるか否かを判断する。ステップ２２４で肯定判定した場合には、ステップ２２６で、制御部２２は、異常発生位置及びその前の位置の画像データを画像データ記憶部から読み出す。
【００７８】
また、ステップ２２４で否定判定した場合には、ステップ２２８で、制御部２２は、異常発生位置及びその前後の位置の画像データを画像データ記憶部から読み出す。
【００７９】
すなわち、異常発生位置が先頭ページであれば、その前のページは存在しないため、異常発生位置の前の画像データは読み出す必要がない。また、異常発生位置が最終ページであれば、その後ろのページは存在しないため、異常発生位置の後ろの画像データは読み出す必要がない。従って、制御部２２は、上記のように画像データを読み出すようにしている。
【００８０】
また、異常発生位置の前後で読み出す画像データのシート数は特に限定されない。例えば、異常が発生したと認識されるシートの前の画像データについては、２シート分読み出し、異常が発生したと認識されるシートの後ろの画像データについては１シート分読み出すようにしてもよい。
【００８１】
画像データ読出処理により、画像データが読み出された後は、図４のステップ２０４に移行し、読み出した画像データに基づいて異常通知確認用シートを印刷するための画像データを生成する。異常通知確認用シート６０は、図６に示すように、異常が発生したと認識されるシートに形成された画像及びその前後のシートに形成された画像６２が１頁内に割り付けられた確認用画像が形成された印刷物であって、異常が発生したと認識されるシートだけでなくその前後のシートについての確認作業を簡便且つ効率的に行なうことができる印刷物である。
【００８２】
なお、異常通知確認用シート６０として形成される確認用画像は、複数の画像が１枚の用紙に形成されるように、各画像を縮小して割り付けた画像としてもよいし、複数の画像の各々の部分画像を割り付けた画像としてもよい。なお、部分画像を割り付ける場合には、全体画像のどの部分の部分画像を抽出するかを予め設定しておくことが好ましい。
【００８３】
制御部２２は、異常通知確認用シート６０の画像データを生成した後は、該画像データと印刷制御信号を画像形成制御部３６に送信して異常通知確認用シート６０をプリントエンジン部１４に印刷させる。
【００８４】
ステップ２０６では、制御部２２は、異常通知確認用シート６０が正常に印刷できたか否かを判断する。例えば、印刷中に異常が発生した場合には、正常に印刷できなかったと判断して、ステップ２０４に戻り、異常通知確認用シート６０を再印刷するように再度同じ画像データ及び印刷制御信号を送信する。異常通知確認用シート６０の印刷で異常が発生した場合には、単に異常が発生した異常通知確認用シート６０がパージ用収納部まで搬送されて排出される、或いは利用者により取り除かれるのみであり、この異常についての更なる異常通知確認用シート６０は印刷されない。
【００８５】
一方、正常に印刷された異常通知確認用シート６０は、用紙搬送系３２により収納部に搬送され、それまでに印刷されて収納された印刷物の上に重ねて収納される。
【００８６】
このように正常に印刷された場合には、制御部２２は、ステップ２０６で、正常に印刷されたと判断し、本異常発生時処理を終了する。
【００８７】
異常通知確認用シート６０を印刷した後、上記説明したようにデータ受信部２０で受信した印刷データに基づいた印刷が全て完了していなければ、該印刷データに基づいた印刷が再開される（図３のステップ１１４及びステップ１１６参照）。従って、異常通知確認用シート６０は、一連の印刷物の異常発生位置に挿入されることとなる。すなわち、一連の印刷物において、異常が発生したと認識されるシート及びその前後のシートに形成された画像と、異常発生位置及びその前後における印刷結果とを対比させて確認できる状態で異常通知確認用シート６０が印刷されることとなる。
【００８８】
なお、印刷データによる印刷が最後まで終了した後は、異常が発生したシートを再度指定して印刷するリカバリ印刷が行なわれるが、異常通知確認用シート６０は、このリカバリ印刷で印刷すべきシートを特定するために用いられる。
【００８９】
前述したように、異常通知確認用シート６０は、通常の印刷物の間に挿入された状態で収納されることとなり、そのままでは印刷終了後の印刷物の中から異常通知確認用シート６０が見つけにくい場合もある。
【００９０】
そこで、制御部２２は、図６に示すように、異常通知確認用シート６０が、通常の印刷物の収納位置よりも所定量だけずれた状態で収納されるように、制御信号を予め画像形成制御部３６に送信しておく。これにより、不図示の収納機構は、異常通知確認用シート６０の収納位置がずれるように動作する。
【００９１】
なお、ここでは、異常通知確認用シート６０の収納位置をずらす場合を例に挙げたが、これに限定されず、例えば、異常通知確認用シート６０の周縁部にマークを付したり、何らかの色で縁取りをするなど、異常通知確認用シート６０の位置が容易に判別できるように所定の画像が形成されるように制御してもよい。
【００９２】
また、印刷物に故意に白紙のシートを挿入するように指定して印刷する場合もある。このような場合には、図４に示した異常発生時処理に代えて、図７に示す異常発生時処理を実行する。
【００９３】
ステップ２５０〜２５２までの処理は、図４のステップ２００〜２０２の処理と同じ処理であるため、説明を省略する。
【００９４】
画像データを読み出した後、ステップ２５４では、制御部２２は、異常が発生したと認識されるシート、或いはその前後のシートに対して白紙挿入指定があるか否かを判断する。ステップ２５４で、白紙挿入指定が無いと判断した場合には、制御部２２は、ステップ２５６及びステップ２５８の処理を実行して、図４のステップ２０４〜２０６と同様に、異常通知確認用シート６０を印刷する。
【００９５】
一方、ステップ２５４で、白紙挿入指定があると判断した場合には、ステップ２６０に移行する。そして、ステップ２６０では、読み出した画像データ及び白紙挿入位置に基づいて、図８に示すように、読み出した画像データの画像６２だけでなく、白紙の文字が明示された画像６４も割り付け、白紙挿入位置が明示されるような異常通知確認用シート６０を印刷するための画像データを生成し、異常通知確認用シート６０をプリントエンジン部１４に印刷させる。図８は、異常が発生したと認識されるシートに含まれる画像がＣであり、その前後のシートに形成された画像がそれぞれＢ、Ｄであり、Ｂの画像を印刷するシートとＣの画像を印刷するシートの間に白紙が挿入されるように白紙挿入位置が指定されていた場合の異常通知確認用シート６０の印刷例を示す図である。
【００９６】
なお、ステップ２６２における処理は、図４のステップ２０６と同様であるため、説明を省略する。
【００９７】
本実施の形態では、異常通知確認用シートを１枚のシートで印刷する場合を例に挙げて説明したが、これに限定されず、利用者が異常が発生したシートを容易且つ効率的に特定できるような形態であれば、例えば複数枚のシートに印刷するようにしてもよい。
【００９８】
［第２の実施形態］
第１の実施の形態では、異常が発生したと認識されるシートに形成された画像とそのシートの前後のシートの画像とを、異常通知確認用シート６０に印刷する例について説明したが、本実施の形態では、後で容易に異常が発生したシートを再印刷（リカバリ印刷）できるようにそれら画像を示す画像データを識別符号を付して別途記憶しておき、該画像と識別符号とを異常通知確認用シート６０に印刷する例について説明する。
【００９９】
なお、本実施の形態における画像形成システムの構成は、第１の実施の形態の構成とほぼ同一であるため、説明を省略する。
【０１００】
また、本実施の形態の制御部２２で実行される画像形成制御処理のメインルーチンは、第１の実施の形態の図３とほぼ同様である。ただし、ステップ１０８で、異常を検出したときに、その異常がプルーフにより検出された異常であった場合には、制御部２２のＲＡＭに記憶されている印刷データに基づいて、該異常が生じたシートに形成された画像データを再生成して、画像データ記憶部２４に上書きで再度記憶する。なお、この処理は、後述する第３の実施の形態及び第４の実施の形態でも同様に行なわれる。
【０１０１】
次に、本実施の形態において行なわれる図３のステップ１１２の異常発生時処理について説明する。
【０１０２】
図９は、本実施の形態における異常発生時処理の流れを示すフローチャートである。
【０１０３】
ステップ３００〜３０２までの処理は、図４のステップ２００〜２０２の処理と同じ処理であるため、説明を省略する。
【０１０４】
ステップ３０２で画像データを読み出した後、ステップ３０４では、制御部２２は、読み出した画像データに対して付与する識別符号（以下、ＩＤ）を生成する。ここでは、読み出した複数の画像データに対してまとめて１つのＩＤを付与する。
【０１０５】
ステップ３０６では、制御部２２は、読み出した画像データとＩＤとを対応付けて画像データ記憶部２４の該画像データが元々記憶されていた領域とは別の所定の領域に記憶する。
【０１０６】
ステップ３０８では、制御部２２は、読み出した画像データ及び該画像データに付与したＩＤに基づいて異常通知確認用シート６０を印刷するための画像データを生成する。ここでは、例えば図１０に示すように、読み出した全ての画像データの画像及び該画像データに付与したＩＤが印刷される画像データを生成する。図１０のＢＣＤＥの各画像６２が、読み出した各画像データの画像を縮小した画像或いは該画像の部分画像であり、「エラー３２４」の文字画像６６が、これら画像データに付与されたＩＤを示す画像である。
【０１０７】
制御部２２は、異常通知確認用シート６０の画像データを生成した後は、該画像データと印刷制御信号を画像形成制御部３６に送信して異常通知確認用シート６０をプリントエンジン部１４に印刷させる。なお、本実施の形態でも、第１の実施の形態と同様に、異常通知確認用シート６０を、所定量ずらして収納部３８に収納するか、その周縁部にマーク等を印刷するようにして他の印刷物と区別できるようにする。
【０１０８】
ステップ３１０では、制御部２２は、異常通知確認用シート６０が正常に印刷できたか否かを判断する。ここで、印刷中に異常が発生して正常に印刷できなかったと判断した場合には、ステップ３０８に戻り、異常通知確認用シート６０を再印刷するように再度同じ画像データ及び印刷制御信号を送信する。
【０１０９】
一方、ステップ２０６で、制御部２２が、正常に印刷されたと判断した場合には、本異常発生時処理を終了する。
【０１１０】
なお、ここでは、白紙挿入が指定された場合については説明を省略したが、本実施の形態においても、白紙挿入指定がされた場合には、第１の実施の形態で説明したように制御して白紙挿入位置が判る異常通知確認用シート６０を印刷する。
【０１１１】
次に、異常が発生した後にリカバリ印刷を行なう場合のリカバリ印刷制御処理について説明する。本実施の形態では、異常通知確認用シート６０に印刷されたＩＤを手がかりにして画像データを読み出してリカバリ印刷を行なう。
【０１１２】
図１１は、制御部２２が行なうリカバリ印刷制御処理の流れを示すフローチャートである。
【０１１３】
ステップ３２０では、制御部２２は、ＵＩ２６を介してリカバリ印刷指示が入力されたか否かを判断する。ここで、制御部２２が、リカバリ印刷指示が入力されたと判断した場合には、ステップ３２２で、リカバリ印刷画面をＵＩ２６に表示する。図示は省略するが、リカバリ印刷画面には、リカバリ印刷を行なう画像データをＩＤを指定して読み出すためのＩＤ入力エリアが設けられている。該ＩＤ入力エリアに対して、利用者は異常通知確認用シート６０に印刷されたＩＤを入力することができる。
【０１１４】
ステップ３２４で、制御部２２は、ＩＤが入力されたか否かを判断する。ここで、ＩＤが入力されたと判断した場合には、ステップ３２６で、入力されたＩＤに対応付けて画像データ記憶部２４に記憶されている画像データを全て読み出し、その画像データに基づいて各々の画像データが表す画像の縮小画像（或いは部分画像）をＵＩ２６に表示する。利用者は、この縮小画像からリカバリ印刷する画像を選択して、指定することができる。
【０１１５】
ステップ３２８では、制御部２２は、リカバリ印刷する画像が指定されたか否かを判断する。ここでリカバリ印刷する画像が指定されたと判断した場合いは、ステップ３３０で該指定された画像の画像データ及び印刷制御信号を画像形成制御部３６に送信して、印刷を行なわせる。
【０１１６】
ステップ３３２では、制御部２２は、該リカバリ印刷中に異常が発生したか否かを判断する。ここで異常が発生したとしても、ここでは、異常通知確認用シート６０は印刷せず、ステップ３３６で、印刷を再実行させ、ステップ３３２に戻る。
【０１１７】
一方、ステップ３３２で異常が発生しないと判断された場合には、ステップ３３４で、制御部２２は、リカバリ印刷が終了したか否かを判断する。ステップ３３４で、リカバリ印刷が終了していないと判断した場合には、印刷を続行してステップ３３２に戻り、ステップ３３４でリカバリ印刷が終了したと判断した場合には、本リカバリ印刷制御処理を終了する。
【０１１８】
なお、上記ステップ３０４では、制御部２２は、ステップ３０２で読み出した画像データの全て（すなわち、異常が発生したと認識される画像の画像データ及びその前後の画像の画像データ）に対して１つのＩＤを付与する例について説明したが、これに限定されず、例えば、読み出した画像データの各々に個別にＩＤを付与するようにしてもよい。
【０１１９】
その場合には、ステップ３０６で、読み出した画像データの各々に対して生成したＩＤと、各画像データとを対応付けて画像データ記憶部２４の所定領域に記憶しておく。
【０１２０】
そして、ステップ３０８では、制御部２２は、例えば図１２に示すように、読み出した各画像データの画像（縮小画像或いは部分画像）６２と、各画像６２に対応して各画像の画像データのＩＤを示す文字画像６６とが印刷された異常通知確認用シートを印刷する。
【０１２１】
また、このように個別にＩＤを付与した場合には、リカバリ印刷では、図１３のフローチャートに示す流れでリカバリ印刷制御処理を行なう。
【０１２２】
ステップ３５０〜３５４までの処理は、図１１のステップ３２０〜３２４までの処理と同様であるため説明を省略する。
【０１２３】
ステップ３５６では、制御部２２は、入力されたＩＤに対応付けて画像データ記憶部２４に記憶されている画像データを読み出し、ステップ３５８で、該読み出した画像データ及び印刷制御信号を画像形成制御部３６に送信して、印刷を行なわせる。
【０１２４】
ステップ３６０〜３６４の処理は、上記図１１のステップ３３２〜３３６の処理と同様であるため説明を省略する。
【０１２５】
なお、ＩＤの付与の仕方は、上記に限定されず、例えば、上記では、ステップ３０２で読み出した画像データの全て（すなわち、異常が発生したと認識されるシートに形成された画像の画像データ及びその前後のシートに形成された画像の画像データ）に対して１つのＩＤ（ここでは親ＩＤと呼称）を付与すると共に、画像データの各々に該付与した親ＩＤとは別の子ＩＤを個別に付与するようにしてもよい。
【０１２６】
［第３の実施形態］
第２の実施の形態では、異常通知確認用シート６０にＩＤを文字画像で印刷する場合を例に挙げて説明したが、本実施の形態では、ＩＤを二次元コードに変換して印刷する場合を例に挙げて説明する。
【０１２７】
図１４は、本実施の形態に係る画像形成システム４０の概略構成を示すブロック図である。ここで、図１４に示す符号と、図１に示す符号が同一の構成要素は、それぞれ、同一の機能を有する構成要素を意味するため説明を省略する。
【０１２８】
本実施の形態の画像形成システム４０は、メインコントローラ１２と、プリントエンジン部１４と、スキャナ部１６とを備えている。
【０１２９】
本実施の形態のスキャナ部１６は、読取制御部４２及び読取部４４を備えている。
【０１３０】
読取部４４は、読取制御部４２の制御に従い、異常通知確認用シート６０に形成された二次元コードを読み取る。
【０１３１】
読取制御部４２は、読取部４４の読取結果から、該二次元コードが示すＩＤを認識する。認識されたＩＤは、制御部２２に送信される。
【０１３２】
この画像形成システム４０の制御部２２が行なう異常発生時処理は、第２の実施の形態の図９と略同様に処理する。ただし、図９のステップ３０８では、以下のように処理する。
【０１３３】
制御部２２は、まず、読み出した画像データに付与したＩＤを示す文字列を二次元コードに変換し、この二次元コードの画像の画像データを生成する。更に読み出した各画像データの画像を縮小した画像或いは該画像の部分画像の画像データを生成し、二次元コードの画像データと合成する。制御部２２は、このように異常通知確認用シートを印刷するための画像データを生成した後、この画像データを印刷制御信号と共に画像形成制御部３６に送信する。これにより、例えば、図１５に示すような異常通知確認用シートが印刷される。
【０１３４】
次に、本実施の形態のリカバリ印刷制御処理について説明する。
【０１３５】
図１６は、本実施の形態で制御部２２が実行するリカバリ印刷制御処理の流れを示すフローチャートである。
【０１３６】
ステップ３８０では、制御部２２は、ＵＩ２６を介してリカバリ印刷指示が入力されたか否かを判断する。ここで、制御部２２が、リカバリ印刷指示が入力されたと判断した場合には、ステップ３８２で、利用者に対し、ＵＩ２６を介して不図示の読取台に異常通知確認用シートを置くようメッセージを表示する。利用者が該メッセージに従って異常通知確認用シートを読取台に置くと、制御部２２は、スキャナ部１６の読取制御部４２を介して読取部４４に異常通知確認用シートに印刷された二次元コードを読み取らせる。
【０１３７】
ステップ３８４では、読取制御部４２が読取部４４の読み取り結果から二次元コードが示すＩＤを認識する。制御部２２は、読取制御部４２からＩＤの認識結果を取得する。
【０１３８】
ステップ３８６では、認識されたＩＤに対応付けて画像データ記憶部２４に記憶されている画像データを全て読み出し、その画像データに基づいて各々の画像データが表す画像の縮小画像をＵＩ２６に表示する。利用者は、この縮小画像からリカバリ印刷する画像を選択して、指定することができる。
【０１３９】
これ以降、ステップ３８８〜３９６までの処理は、上記図１１のステップ３２８〜３３６までの処理と同様であるため説明を省略する。
【０１４０】
なお、本実施の形態では、制御部２２は、ステップ３０２で読み出した画像データの全て（すなわち、異常が発生したと認識される画像の画像データ及びその前後の画像の画像データ）に対して１つのＩＤを付与する例について説明したが、これに限定されず、例えば、読み出した画像データの各々に個別にＩＤを付与するようにしてもよい。この場合には、制御部２２は、異常通知確認用シート６０に、二次元コードだけでなく、識別符号の文字画像も印刷し、リカバリ印刷では、上記図１６において、ステップ３８４でＩＤを認識した後、該認識したＩＤをＵＩ２６に表示して利用者に選択させる処理を行い、該選択したＩＤに対応付けられた画像データを読み出して再印刷させるように制御する。
【０１４１】
［第４の実施形態］
第２、第３の実施の形態では、異常が発生したと認識されるシートに形成された画像を示す画像データとそのシートの前後のシートの画像を示す画像データとを、画像形成システム側に備えられた記憶装置（画像データ記憶部２４）に記憶しておく場合を例に挙げて説明したが、本実施の形態では、画像形成媒体としての用紙に予め設けられた無線通信が可能なＩＣメモリに記憶する場合を例に挙げて説明する。
【０１４２】
図１７は、本実施の形態に係る画像形成システム５０の概略構成を示すブロック図である。ここで、図１７に示す符号と、図１に示す符号が同一の構成要素は、それぞれ、同一の機能を有する構成要素を意味するため説明を省略する。
【０１４３】
本実施の形態の画像形成システム５０は、メインコントローラ１２と、プリントエンジン部１８を備えている。
【０１４４】
本実施の形態のプリントエンジン部１８は、異常検出部３０、用紙搬送系３２、画像形成部３４、及び画像形成制御部３６に加えて、無線インタフェース（Ｉ／Ｆ）５２及びアンテナ５４を備えている。
【０１４５】
無線Ｉ／Ｆ５２は、用紙に設けられた無線通信が可能なメモリである無線ＩＣチップ５６（図１９参照）と無線通信を行うためのインタフェースである。
【０１４６】
無線ＩＣチップ５６には、図示は省略するが、無線通信を行うと共に、電波の受信によって電力を発生させるためのアンテナコイルと、アンテナコイルに誘導された起電力によりチャージされるコンデンサとが設けられている。また、無線ＩＣチップ５６には、更に、画像データが記録されるフラッシュメモリ等のメモリ、該メモリに対するデータの読み書きを制御するメモリコントローラ、メモリから読み出されたデータの変調及びアンテナコイルにより受信されたデータの復調を行う変復調回路、コンデンサにチャージされた電荷に基づいて無線ＩＣチップの各部に駆動電力を供給する電源回路とが設けられている。
【０１４７】
このような構成により、無線ＩＣチップ５６にはバッテリを装備せずとも、外部から電波を受信することによりアンテナコイルで起電力を発生させ、駆動電力を得る。
【０１４８】
従って、この無線ＩＣチップ５６に対してデータの読み書きをする際には、電波を送信する必要があるが、この電波を無線Ｉ／Ｆ５２がアンテナ５４を介して送信する。
【０１４９】
また、本実施の形態のプリントエンジン部１８には、無線ＩＣチップ５６付きの用紙を給紙する給紙トレイと、無線ＩＣチップ５６無しの用紙を給紙する給紙トレイが設けられている。画像形成制御部３６は、通常の印刷を行なう場合には、無線ＩＣチップ５６無しの用紙を給紙する給紙トレイから用紙が給紙され、異常通知確認用シート６０を印刷する場合には、無線ＩＣチップ５６付きの用紙を給紙する給紙トレイから用紙が給紙されるように用紙搬送系３２を制御する。
【０１５０】
次に、本実施の形態の画像形成システム５０の動作について説明する。
【０１５１】
図１８は、本実施の形態における異常発生時処理のフローチャートである。
【０１５２】
ステップ４００〜４０２までの処理は、図４のステップ２００〜２０２までの処理と同様であるため、説明を省略する。
【０１５３】
ステップ４０４では、読み出した画像データに基づいて、第１、２の実施の形態と同様に異常通知確認用の画像データを生成して、この画像データと印刷制御信号を画像形成制御部３６に送信し、無線ＩＣチップ５６付きの用紙を用いて印刷させる。
【０１５４】
ステップ４０６では、制御部２２は、異常通知確認用シート６０が正常に印刷できたか否かを判断する。ここで正常に印刷できなかったと判断した場合には、ステップ４０４に戻り、異常通知確認用シート６０を再印刷するように再度同じ画像データ及び印刷制御信号を送信する。また、正常に印刷できたと判断した場合には、ステップ４０８に移行し、制御部２２は、該印刷された異常通知確認用シート６０の無線ＩＣチップ５６に、無線Ｉ／Ｆ５２を介して、ステップ４０２で読み出した画像データを書き込ませるように該画像データと制御信号を画像形成制御部３６に送信する。画像形成制御部３６は、該制御信号に従って、無線Ｉ／Ｆ５２を介して該画像データを異常通知確認用シート６０の無線ＩＣチップ５６に書き込む。
【０１５５】
図１９に異常通知確認用シート６０の印刷結果の一例を示す。
【０１５６】
次に、本実施の形態におけるリカバリ印刷制御処理について説明する。
【０１５７】
図２０は、本実施の形態で制御部２２が実行するリカバリ印刷制御処理の流れを示すフローチャートである。
【０１５８】
ステップ４２０では、制御部２２は、ＵＩ２６を介してリカバリ印刷指示が入力されたか否かを判断する。ここで、制御部２２が、リカバリ印刷指示が入力されたと判断した場合には、ステップ４２２で、利用者に対し、ＵＩ２６を介して用紙搬送系３２の一部としてプリントエンジン部１８の外面に設けられた不図示の原稿自動送り装置に異常通知確認用シート６０を置くようメッセージを表示する。利用者が該メッセージに従って異常通知確認用シート６０を原稿自動送り装置に置くと、制御部２２は、画像形成制御部３６に対して制御信号を出力し、異常通知確認用シート６０を原稿自動送り装置からプリントエンジン部１８内部に搬送させ、更に、該異常通知確認用シート６０を無線Ｉ／Ｆ５２による無線ＩＣチップ５６の読み出しが可能な位置まで搬送させ、無線ＩＣチップ５６から画像データを読み出させる。
【０１５９】
ステップ４２４では、該読み出した画像データの画像をＵＩ２６に表示する。具体的には、その画像データに基づいて各々の画像データが表す画像の縮小画像（或いは部分画像）をＵＩ２６に表示する。利用者は、この縮小画像からリカバリ印刷する画像を選択して、指定する。
【０１６０】
これ以降、ステップ４２６〜４３４までの処理は、上記図１１のステップ３２８〜３３６までの処理と同様であるため説明を省略する。
【図面の簡単な説明】
【０１６１】
【図１】第１及び第２の実施の形態に係る画像形成システムの概略構成を示すブロック図である。
【図２】画像形成システムの動作を説明する説明図である。
【図３】第１〜４の実施の形態で制御部が行なう画像形成制御処理の流れを示すフローチャートである。
【図４】第１の実施の形態で制御部が行なう異常発生時処理の流れを示すフローチャートである。
【図５】画像データ読出処理の流れを示すフローチャートである。
【図６】異常通知確認用シートの印刷状態及び収納状態を示す図である。
【図７】印刷物に白紙のシートを挿入するように指定して印刷する場合の異常発生時処理の流れを示すフローチャートである。
【図８】白紙挿入位置が明示された異常通知確認用シートの印刷結果の一例である。
【図９】第２の実施の形態における異常発生時処理の流れを示すフローチャートである。
【図１０】ＩＤが印刷された異常通知確認用シートの印刷結果の一例を示す図である。
【図１１】第２の実施の形態におけるリカバリ印刷制御処理の流れを示すフローチャートである。
【図１２】個別のＩＤが印刷された異常通知確認用シートの印刷結果の一例を示す図である。
【図１３】第２の実施の形態におけるリカバリ印刷制御処理の変形例を示すフローチャートである。
【図１４】第３の実施の形態に係る画像形成システムの概略構成を示すブロック図である。
【図１５】二次元コードが印刷された異常通知確認用シートの一例を示す図である。
【図１６】第３の実施の形態で制御部が実行するリカバリ印刷制御処理の流れを示すフローチャートである。
【図１７】第４の実施の形態に係る画像形成システムの概略構成を示すブロック図である。
【図１８】第４の実施の形態における異常発生時処理のフローチャートである。
【図１９】無線ＩＣチップ付の異常通知確認用シートの印刷結果の一例を示す図である。
【図２０】第４の実施の形態で制御部が実行するリカバリ印刷制御処理の流れを示すフローチャートである。
【符号の説明】
【０１６２】
１０   画像形成システム
１２   メインコントローラ
１４   プリントエンジン部
１６   スキャナ部
１８   プリントエンジン部
２０   データ受信部
２２   制御部
２４   画像データ記憶部
３０   異常検出部
３２   用紙搬送系
３４   画像形成部
３６   画像形成制御部
３８   収納部
４０   画像形成システム
４２   読取制御部
４４   読取部
５０   画像形成システム
５２   無線Ｉ／Ｆ
５４   アンテナ
５６   無線ＩＣチップ
６０   異常通知確認用シート
【図１】
2008254238.tif 000003
【図２】
2008254238.tif 000004
【図３】
2008254238.tif 000005
【図４】
2008254238.tif 000006
【図５】
2008254238.tif 000007
【図６】
2008254238.tif 000008
【図７】
2008254238.tif 000009
【図８】
2008254238.tif 000010
【図９】
2008254238.tif 000011
【図１０】
2008254238.tif 000012
【図１１】
2008254238.tif 000013
【図１２】
2008254238.tif 000014
【図１３】
2008254238.tif 000015
【図１４】
2008254238.tif 000016
【図１５】
2008254238.tif 000017
【図１６】
2008254238.tif 000018
【図１７】
2008254238.tif 000019
【図１８】
2008254238.tif 000020
【図１９】
2008254238.tif 000021
【図２０】
2008254238.tif 000022